(57)【要約】【課題】ゴルファーが目で打撃地点を確認して、自身のスイング姿勢を容易に練習／矯正できるゴルフ姿勢矯正装置付きのゴルフクラブを提供する。【解決手段】本発明は、クラブフェイスが具備されているクラブヘッドと、クラブフェイスと平行に伸張するが、クラブヘッドを横切ってクラブヘッドとグリップと連結しているシャフトとを含むゴルフクラブにおいて、シャフトに着脱可能に付着されるケース部材；ケース部材の表面のうち、前記クラブヘッドとの対面に露出され設置される２個以上のレーザーダイオード；ケース部材内に設置されるが、２個以上のレーザーダイオードと連結して２個以上のレーザーダイオードを交差点灯させる交差点灯回路；ケース部材の一表面またはグリップに具備されて、交差点灯回路と連結して２個以上のレーザーダイオードの動作開始を制御する動作モードスイッチ；及び、交差点灯回路に電源を供給する電源供給部を含む、姿勢矯正装置付きのゴルフクラブ。【選択図】  図６
2004174203.tif 000002
【特許請求の範囲】
【請求項１】
クラブフェイスが具備されているクラブヘッドと、前記クラブフェイスと平行に伸張されるが、前記クラブヘッドを横切って前記クラブヘッドと連結しているシャフトとを含むゴルフクラブにおいて、
前記シャフト及び前記クラブフェイスと垂直をなす面に配置されるが、前記クラブフェイスの上部エッジと垂直で前記シャフトの方に所定角で斜めになっているロッド；
前記ロッドに所定間隔をおいて一列配置され、第１色のＬＥＤ１個と第２色のＬＥＤ複数個からなる複数個のＬＥＤ；
前記ロッドを前記シャフトに連結するための連結部材；
一端が前記連結部材に連結し、他端が前記シャフトに着脱可能に結合されているケース部材；
前記連結部材内または前記連結部材と前記ロッド内に具備されるが、前記２個以上のＬＥＤを交差点灯させる交差点灯回路；
前記ロッドに具備されるが、前記交差点灯回路と連結して前記複数個の第２色のＬＥＤの何れか一つを選択するスイッチ；及び、
前記ケース部材内に具備されるが、前記交差点灯回路に電源を供給するバッテリーを含むことを特徴とする、ゴルフ姿勢矯正装置付きのゴルフクラブ。
【請求項２】
クラブフェイスが具備されているクラブヘッドと、前記クラブフェイスと平行に伸張するが、前記クラブヘッドを横切って前記クラブヘッドとグリップと連結しているシャフトとを含むゴルフクラブにおいて、
前記シャフトに着脱可能に付着されるケース部材；
前記ケース部材の表面のうち、前記クラブヘッドとの対面に露出され設置される２個以上のレーザーダイオード；
前記ケース部材内に設置されるが、前記２個以上のレーザーダイオードと連結して前記２個以上のレーザーダイオードを交差点灯させる交差点灯回路；
前記ケース部材の一表面または前記グリップに具備されて、前記交差点灯回路と連結して前記２個以上のレーザーダイオードの動作開始を制御する動作モードスイッチ；及び、
前記交差点灯回路に電源を供給する電源供給部を含み、
前記２個以上のレーザーダイオードは、所定間隔をおいて一列配置されるが、前記クラブフェイスの上部エッジと垂直で前記シャフトの方に所定角で斜めになっている直線に対応される部分に具備されていることを特徴とする、ゴルフ姿勢矯正装置付きのゴルフクラブ。
【請求項３】
前記２個以上のレーザーダイオードは、前記クラブフェイスの上部エッジと実質的に垂直である直線から前記シャフトの方に所定角で斜めになっている直線に対応される部分に具備されている第１レーザーダイオード及び第２レーザーダイオードと、前記クラブフェイスの上部エッジと実質的に垂直である直線に対応される部分に具備されている第３レーザーダイオードとを含むことを特徴とする、請求項２に記載のゴルフ姿勢矯正装置付きのゴルフクラブ。
【請求項４】
前記所定角は約５乃至１０度であることを特徴とする、請求項１〜３のいずれか一項に記載のゴルフ姿勢矯正装置付きのゴルフクラブ。
【請求項５】
前記交差点灯回路は発振回路を含むことを特徴とする、請求項１〜３のいずれか一項に記載のゴルフ姿勢矯正装置付きのゴルフクラブ。
【請求項６】
前記発振回路の所定端子との接続可否により、前記２個以上のレーザーダイオードの交差点灯周期を調節するスイッチが前記ケース部材または前記グリップにさらに具備されていることを特徴とする、請求項５に記載のゴルフ姿勢矯正装置付きのゴルフクラブ。
【発明の詳細な説明】
【０００１】
【発明の属する技術分野】
本発明はゴルフクラブに関し、特に、スイング／パッティング時に正確に打撃するようにするゴルフ姿勢矯正装置付きのゴルフクラブに関する。
【０００２】
【従来の技術】
ゴルフはゴルフクラブを使用してゴルフボールを遠く離れているホールカップに入れる競技であって、少数集団のスポーツに過ぎなかったが、所得水準及び生活水準の向上に伴って大衆化になっており、これによりゴルファーも急増している。
【０００３】
従来の技術のうち、ゴルフスイング姿勢を矯正するために、スイング時に発生する慣性力によって点灯される２個のランプの軌跡を目で確認しながら、インパクト瞬間を判断するようになっていることがある（例えば、特許文献１参照）。
【０００４】
【特許文献１】
大韓民国実用新案登録第２９０７０３号
【０００５】
【発明が解決しようとする課題】
ところが、前述したゴルフスイング姿勢矯正装置は、スイング時に胴体の回転と共に手首も回転することを見過して設計された。また、２個のランプが継続点灯するので、これらのランプが近接する場合は両軌跡を目で確認しにくいという問題がある。
【０００６】
各種ゴルフクラブを使用してゴルフボールを正確に打撃するには、ゴルフのスイングまたはパッティング姿勢を正確にすべきであり、ゴルフクラブのヘッドの所望位置に正確に打撃すべきなので、ゴルファーは正しいスイングまたはパッティング姿勢と打撃感覚を習うために不断に努力することになる。
【０００７】
特に、スイング動作は２回の胴体の回転と１回の腕のスイングとからなるが、腕のスイングによって手首も回転するようになり、図１に示すように、クラブヘッドも回転する。そして、クラブヘッドの回転角度は最大１８０度以上になる。
【０００８】
インパクト時にクラブフェイスの所望位置にゴルフボールが触れなければ、狙う方向にゴルフボールを飛ばすことができない。インパクト時にクラブフェイスとゴルフボールが直角になればゴルフボールは直線方向に飛んで行き、クラブフェイスとゴルフボールが鋭角または鈍角になればスライスまたはフックになる。
【０００９】
一方、熟練のゴルファーの場合は、インパクト時にゴルフボールが触れるクラブフェイスの状態を目視し、インパクト後のゴルフボールが飛んで行く状態を見て自身のスイング姿勢の問題点を認識しているが、これも完璧でない。さらに、初心者の場合は、インパクト時にその視線がクラブフェイスまたはゴルフボールに向けない場合が多いため、正確な打点とその時の自身のスイング姿勢の問題点を容易に認識できない。このような現象はゴルフパッティング時にも同一／類似に発生する。
【００１０】
よって、本発明の目的は、ゴルファーが目で打撃地点を確認して、自身のスイング姿勢を容易に練習／矯正できるゴルフ姿勢矯正装置付きのゴルフクラブを提供することにある。
【００１１】
【課題を解決するための手段】
前記目的を達成するために、本発明は、クラブフェイスが具備されているクラブヘッドと、クラブフェイスと平行に伸張するが、クラブヘッドを横切ってクラブヘッドとグリップと連結しているシャフトとを含むゴルフクラブにおいて、シャフトに着脱可能に付着されるケース部材；ケース部材の表面のうち、前記クラブヘッドとの対面に露出され設置される２個以上のレーザーダイオード；ケース部材内に設置されるが、２個以上のレーザーダイオードと連結して２個以上のレーザーダイオードを交差点灯させる交差点灯回路；ケース部材の一表面またはグリップに具備されて、交差点灯回路と連結して２個以上のレーザーダイオードの動作開始を制御する動作モードスイッチ；及び、交差点灯回路に電源を供給する電源供給部を含み、２個以上のレーザーダイオードは、所定間隔をおいて一列配置されるが、クラブフェイスの上部エッジと垂直で前記シャフトの方に所定角（約５乃至１０度）で斜めになっている直線に対応される部分に具備されていることを特徴とするゴルフ姿勢矯正装置が設けられている。具体的に、２個以上のレーザーダイオードは、クラブフェイスの上部エッジと実質的に垂直である直線からシャフトの方に所定角で斜めになっている直線に対応される部分に具備されている第１レーザーダイオード及び第２レーザーダイオードと、クラブフェイスの上部エッジと実質的に垂直である直線に対応される部分に具備されている第３レーザーダイオードとを含み、交差点灯回路は発振回路が使用されることができる。そして、発振回路の所定端子との接続可否により、２個以上のレーザーダイオードの交差点灯周期を調節するスイッチがケース部材またはグリップにさらに具備されることができる。
【００１２】
本発明の目的を達成するための他の例として、クラブフェイスが具備されているクラブヘッドと、クラブフェイスと平行に伸張されるが、クラブヘッドを横切ってクラブヘッドと連結しているシャフトとを含むゴルフクラブにおいて、シャフト及びクラブフェイスと垂直をなす面に配置されるが、クラブフェイスの上部エッジと垂直でシャフトの方に所定角で斜めになっているロッド；ロッドに所定間隔をおいて一列配置され、第１色のＬＥＤ１個と第２色のＬＥＤ複数個からなる複数個のＬＥＤ；ロッドをシャフトに連結するための連結部材；一端が連結部材に連結し、他端がシャフトに着脱可能に結合されているケース部材；連結部材内または連結部材とロッド内に具備されるが、２個以上のＬＥＤを交差点灯させる交差点灯回路；ロッドに具備されるが、交差点灯回路と連結して複数個の第２色のＬＥＤの何れか一つを選択するスイッチ；及び、ケース部材内に具備されるが、交差点灯回路に電源を供給するバッテリーを含むゴルフ姿勢矯正装置が設けられている。
【００１３】
【発明の実施の形態】
以下、添付図面に基づき、本発明を詳細に説明する。
図２は本発明の一例によるゴルフ姿勢矯正装置付きのゴルフクラブを、図３は本発明によるゴルフ姿勢矯正装置を動作させる回路の一例を示す。そして、図４は本発明によるゴルフ姿勢矯正装置付きのゴルフクラブの使用状態図で、図５は本発明によるゴルフ姿勢矯正装置がゴルフクラブに直角で設置されていることを仮定する場合のゴルフクラブの使用状態図である。
【００１４】
図２を参照すれば、本発明の一例によるゴルフクラブ２０は、クラブフェイス２１が具備されているクラブヘッド２９及びホーゼルと連結しているシャフト２２を含み、シャフト２２にはゴルフ姿勢矯正装置４０が装着されている。ゴルフ姿勢矯正装置４０は、一定周期で交差点灯する２個以上のＬＥＤ２８と、２個以上のＬＥＤ２８を一定周期で交差点灯させる回路（図３）と、交差点灯回路の電源を供給するバッテリーとから構成される。一方、２個以上のランプを交差点灯させる図３に示したような回路は印刷回路基板に集積されることができる。
【００１５】
そして、このようなゴルフ姿勢矯正装置４０は、電気的な構成要素（ＬＥＤ、回路（または印刷回路基板）及びバッテリー）を外部の衝撃から保護するバッテリーケース２３とロッド２７、及びロッド２７をバッテリーケース２３またはシャフト２２に連結する連結部材２６を含む。印刷回路基板は連結部材２６内またはロッド２７と連結部材２６内に位置できる。ロッド２７には印刷回路基板に集積されている２個以上のＬＥＤ２８が具備されており、本実施例では所定間隔をおいて離隔している１個の緑色ＬＥＤ２８ａと、３個の赤色ＬＥＤ２８ｂ、２８ｃ、２８ｄとが具備されている。そして、赤色ＬＥＤの何れか一つを選択するためのスイッチ３０ａ、３０ｂ、３０ｃが装着されている。
【００１６】
ロッド２７はシャフト２２及びクラブヘッド２９のクラブフェイス２１と垂直な面上に設置されている。特に、交差点灯する複数個のＬＥＤ２８が設置されている  ロッド２７は、クラブヘッド２９の上部エッジ２９ａと垂直でなく、シャフト２２の方にβ角（以下ではベータアングルという）程度（約５乃至１０度）斜めになり、これは角度治具を準備して装着する。このベータアングルが必ず必要な理由に対しては以後に図４及び図５を参照して説明する。そして、ロッド２７のＬＥＤのそばには複数のＬＥＤの何れか一つを選択するためのスイッチ３０ａ、３０ｂ、３０ｃが設置されている。
【００１７】
バッテリーケース２３はシャフト２２の軸上に設置されるが、締め板２４の孔に挿入される締めねじ２５ａ、２５ｂを通じてシャフト２２に着脱可能に固定されている。バッテリーケース２３の一面にある開閉部（図示せず）を通じてバッテリーが交替可能になっており、バッテリーケース２３の一側面に貫通口（図示せず）が形成されて、この貫通口を通じて連結部材２６内の印刷回路基板に電源が供給される。また、バッテリーケース２３にはバッテリーの供給／遮断を決定する電源スイッチ（図示せず）と、各ＬＥＤの点灯周期を調節するスイッチ（図示せず）とが具備されており、これらのスイッチの位置は必ずこれに限定されず、連結部材２６、ロッド２７またはシャフト２２の上に位置することもできる。
【００１８】
まず、図３を参照して交差点灯回路を説明する。交差点灯回路は、交差点灯を制御する集積回路モジュールＵ１、制御集積モジュールＵ１に連結してバッテリーＢＴ１の供給／遮断を決定する電源スイッチと、各ＬＥＤの点灯周期を調節するスイッチとからなるスイッチモジュールＳＷ１、及び制御集積モジュールＵ１に連結して複数個のＬＥＤの何れか一つを選択するためのＬＥＤ選択スイッチモジュールＳＷ２を含む。制御集積モジュールＵ１では発振回路が使用されることができ、本実施例では発振回路としてＩＣチップＬＭ５５５を使用した。
【００１９】
ＩＣチップＬＭ５５５を使用すれば、その端子３と端子４に連結している緑色ＬＥＤ２８ａは常に点灯状態になる。ＬＥＤ選択スイッチモジュールＳＷ２において、スイッチ３０ａが連結すれば第１赤色ＬＥＤ２８ｂが点灯状態になり、スイッチ３０ｂが選択されれば第２赤色ＬＥＤ２８ｃが点灯状態になり、スイッチ３０ｃが選択されれば第２赤色ＬＥＤ２８ｄが点灯状態になる。緑色ＬＥＤと遠距離にある赤色ＬＥＤが選択されれば軌跡の交差幅が大きくなり、近距離にある赤色ＬＥＤが選択されれば軌跡の交差幅が小さくなるが、これは使用者の上達程度や使用者の便宜によって適切に選択されることができる。
【００２０】
そして、制御集積モジュールＵ１の端子２がスイッチモジュールＳＷ１によってコンデンサＣ３に連結すれば緑色ＬＥＤ２８ａと選択された一つの赤色ＬＥＤとの交差点灯周期が長くなり、そうでなければ交差点灯周期が短くなる。
【００２１】
なお、図４を参照して本発明によるゴルフ姿勢矯正装置付きのゴルフクラブの動作を説明する。参照番号において、２１はクラブフェイス、２７はＬＥＤが設置されているロッド、３１はシャフト軸、３２は点灯する赤色ＬＥＤ、３３は点灯する緑色ＬＥＤである。そして、実線はスイング動作に従う緑色ＬＥＤの軌跡の地面上の投影図で、波線はスイング動作に従う赤色ＬＥＤの軌跡の地面上の投影図で、一点鎖線はシャフトの軌跡の地面上の投影図である。
【００２２】
本発明によるゴルフ姿勢矯正装置付きのゴルフクラブを使用してスイング動作を行うと、クラブヘッドは腕のスイング及び手首の関節のスイングによって図面に示したように回転する。
【００２３】
インパクト前の区間Ａではシャフトの軌跡とクラブフェイス２１が鈍角をなし、緑色ＬＥＤの発光位置が赤色ＬＥＤの発光位置よりも上になる。インパクト瞬間（点０）にはこれらの軌跡が一致し、このとき、クラブフェイス２１とシャフトの軌跡は直角をなす。すなわち、打点と緑色ＬＥＤの点灯位置そして赤色ＬＥＤの点灯位置が一致するようになる。インパクト後にはシャフトの軌跡とクラブフェイス２１が鋭角をなし、緑色ＬＥＤの発光位置が赤色ＬＥＤの発光位置よりも下になる。従って、使用者はゴルフスイング動作を行いながら緑色ＬＥＤと赤色ＬＥＤの発光跡に視線を固定し、これらが一致する点で打撃すれば正確に打撃できる。仮に、使用者のスイング姿勢に問題があって、区間Ａまたは区間Ｂでインパクトされることを発見すれば、各状況に合せてスイング姿勢を矯正できる。
【００２４】
緑色ＬＥＤと赤色ＬＥＤが交差点灯でなく継続発光すれば、これらの軌跡が隣接した時にどの色のＬＥＤがどんな位置にあるか識別しにくく、特に明るい所ではその識別性が著しく落ちる。従って、本発明によるゴルフ姿勢矯正装置を必ず交差点灯するようにした。
【００２５】
使用者のスイング速度が速い場合は、ＬＥＤの交差点灯周期が長ければ交差点灯の効果が少なくなるので、ＬＥＤの交差点灯周期を短くする。初心者のようにスイング速度が比較的速くない場合はＬＥＤの交差点灯周期を長くしても良い。ここで、交差点灯周期の長短は絶対的な基準はなく、目視してＬＥＤが交差点灯で見えるか連続発光状態で見えるかによって決定される。そして、使用者は各ＬＥＤ軌跡の長さとその長さ内の点灯個数などを観察してスイングの概略的で相対的な速さを認識できる。
【００２６】
前述のように、緑色ＬＥＤと複数個の赤色ＬＥＤが設置されているロッド２７は、クラブヘッド２９の上部エッジ２９ａと垂直でなく、シャフト２２の方にベータアングル程度（約５乃至１０度）斜めに設置された。仮に、このベータアングルなしロッド２７がクラブヘッド２９の上部エッジ２９ａと垂直に設置されれば、どんな問題点が発生するか図５を参照して説明する。図５において図４と同じ構成要素に対しては図４と同じ参照番号を使用した。但し、図５に示したロッド２７はクラブフェイス２１の上部エッジと直角を形成する。
【００２７】
図５において、緑色ＬＥＤの軌跡と赤色ＬＥＤの軌跡が交差する地点は図４の交差点０よりも先に位置した点０’である。使用者は両ＬＥＤの軌跡に従って行ってこれらの交差地点０で打撃しなければ、正確な打撃で認識できない。しかし、点０でインパクトされる場合には、クラブフェイス２１とゴルフボールの進行方向を示すシャフト軌跡が直角でない鈍角を形成する。すなわち、正確な打撃でないスライス打撃になってゴルフボールは右に曲がり飛んで行く。そして、使用者がゴルフボールを左に曲がり飛ばしたくて区間Ｃ’でゴルフボールを打撃すれば、場合によっては（点０でインパクトされる時）使用者の意図とは異なりゴルフボールが正面に飛んで行くことができる。すなわち、図５のように、ロッド２７がクラブフェイス２１の上部エッジと直角をなすスイング矯正装置付きのゴルフクラブではスイング姿勢を正しく矯正しにくい。
【００２８】
このように、ベータアングルを維持することなくゴルフ姿勢矯正装置が装着されればスイング姿勢矯正が正確でない理由は、スイングが腕のスイングの以外にも一定地点からの手首関節の回転も含むためである。一方、手首関節が回転する時点及び手首関節の回転程度等は人によって違う。これに、本発明の発明者は実際のスイング動作時の手首関節の回転の程度を実験によって手首関節の回転角を得て、その値は前述したように５乃至１０度の範囲にある。
【００２９】
図６は本発明の他の例によるゴルフ姿勢矯正装置付きのゴルフクラブの斜視図で、図７は本発明による他の例のゴルフ姿勢矯正装置を利用してパッティング動作を矯正する使用状態を示す図である。
【００３０】
図６を参照すれば、ゴルフクラブ６０はクラブフェイス４１が具備されているクラブヘッド４３及びホーゼルと連結しているシャフト４２を含み、シャフト４２とシャフト４２の上に設置されたグリップ４９にはゴルフ姿勢矯正装置８０が装着されている。ゴルフ姿勢矯正装置８０は、一定周期で交差点灯する少なくとも２個のレーザーダイオード４８ａ、４８ｂ、４８ｃ、レーザーダイオード４８ａ、４８ｂ、４８ｃを一定周期で交差点灯させる回路、交差点灯回路の電源を供給するバッテリー、及び前述した電気的な構成要素（レーザーダイオード、回路（または印刷回路基板）及びバッテリー）を外部の衝撃から保護するシャフト４２に着脱可能に設置されるケース４４を含む。レーザーダイオードの一例として６５０ｎｍバンドのＩｎ  ＧａＡＩＰ（５ｍＷ出力）を使用することができる。
【００３１】
一方、３個のレーザーダイオードの少なくとも２個のダイオードを選択して交差点灯させる回路は、印刷回路基板に集積されることができ、ＬＥＤを示す参照番号２８ａ、２８ｂ、２８ｃ、２８ｄの代りにレーザーダイオードが連結しているのを除いては実質的に図３に示した回路と同様に使用することができる。また、ケース４４の下すなわち地面に向ける部分には図６に示したように３個のレーザーダイオード４８ａ、４８ｂ、４８ｃが設置され露出されている。レーザーダイオード４８ａは電源の供給時に常に点灯するもので、クラブフェイス前面にレーザーポイントを形成するように配置され、図３の緑色発光ダイオードを示す参照番号２８ａの位置で制御集積モジュール（図３のＵ１）に連結するようになっている。レーザーダイオード４８ｂはレーザーダイオード４８ａと一直線上で配置され、クラブフェイス前面で打撃の進行経路上でポイントを形成するように配置されるもので、パッティング動作時に姿勢矯正のために使用される。レーザーダイオード４８ｃは常に点灯するレーザーダイオード４８ａと一直線を形成することなくクラブフェイス後面でレーザーポイントを形成するように配置され、図２で言及されたベータアングル（約５乃至１０度）にてシャフトの方に斜めになってゴルフスイング動作時に姿勢矯正のために使用されるように設計されている。一方、クラブフェイスと各レーザーダイオードのポイント位置との関係はこれに限定されず、レーザーダイオード４８ａ、４８ｂがクラブフェイスの後面でレーザーポイントを形成するように配置されることができる。
【００３２】
そして、グリップ４９には本発明によるゴルフ姿勢矯正装置のレーザーダイオード４８ａ、４８ｂ、４８ｃの発光動作を開始するスイッチ４６ａ、４６ｂ、４６ｃが具備され、これらは図３のスイッチングモジュールＳＷ２のスイッチ３０ａ、３０ｂ、３０ｃの位置で制御集積モジュール（図３のＵ１）に連結するようになっている。ここで、スイッチ４６ａ、４６ｂ、４６ｃはケース４４に設置されることもでき、この場合には本発明によるゴルフ姿勢矯正装置８０はゴルフクラブと別途に分離して販売／保管することが可能になる。
【００３３】
ケース４４の具体的な構成は図２のバッテリーケース２３と類似に、シャフト４２の軸上に設置されるが、締め板の孔に挿入される締めねじを通じてシャフト４２に着脱可能に固定されている。そして、ケース４４の一面にある開閉部（図示せず）を通じてバッテリーが交替可能になっている。また、ケース４４にはバッテリーの供給／遮断を決定する電源スイッチと、各ＬＥＤの点灯周期を調節するスイッチとからなる図３のスイッチモジュールＳＷ１が具備されており、これらのスイッチの位置は必ずこれに限定されず、グリップ４３にも具備されることができる。
【００３４】
ゴルファーが本発明の他の例によるゴルフ姿勢矯正装置８０を購入した後、これをシャフト４２に装着して使用する過程を説明する。本発明によるゴルフ姿勢矯正装置は、人造ゴルフマットと共に使用され、人造ゴルフマットには互に交差する垂直の中心線９１が引いてあり、中心線から所定角で斜めになっているベータアングル線９２が引いてある。使用者はゴルフ姿勢矯正装置８０をゴルフクラブに予備装着した後、クラブフェイス４１を人造ゴルフマットの中心線と平行に位置させた後、電源を入れてスイッチ４６ａをオンさせて中央に位置するレーザーダイオード４８ａを発光させる。レーザーダイオード４８ａの発光によるレーザーポイントは“Ａ”で表示され、この点Ａを中心線９１上に位置させる。そして、スイングモードを示すスイッチ４６ｃをオンさせてレーザーベータアングルをもって配列されているレーザーダイオード４８ｃを発光させ、人造ゴルフマット上のベータアングル線９２上にレーザーポイントＣを形成してゴルフ姿勢矯正装置の装着過程を完了する。
【００３５】
以後、このようなゴルフ姿勢矯正装置を装着した図６のゴルフクラブを使用してスイングを行うと、二つのポイントはゴルフスイングと共に交差する軌跡を形成するようになるので、図４のような軌跡を形成するようになる。したがって、スイング時の二つのレーザーポイントＡ、Ｃによる“Ｘ”型交差軌跡を目でみながらインパクト時のクラブフェイスの角度を矯正できるようになる。
【００３６】
一方、パッティング動作の練習のためには、まず、ゴルフ姿勢矯正装置８０をゴルフクラブに予備装着した後、図７のようにクラブフェイス４１を人造ゴルフマットの中心線と平行に位置させた後、電源を加えてスイッチ４６ａをオンさせて中央に位置するレーザーダイオード４８ａを発光させ、中心線９１上にポインタＡを形成する。そして、パッティングモードを示すスイッチ４６ｂを“オン”させてレーザーダイオード４８ｂを発光させ、打球方向の前面に打球方向と平行な中心線９１上にポイントＢを形成して、パッティング姿勢のためのゴルフ姿勢矯正装置の装着過程を完了する。ここで、ポイントＡとポイントＢによる一直線はホールカップに向けるようになる。
【００３７】
以後、このようなゴルフ姿勢矯正装置を装着したゴルフクラブを使用してパッティング動作を行うと、交差点灯する２個のレーザーダイオードによるレーザーポイントが一直線を維持するかまたはこれらによる直線がホールカップに向けているかを目で確認しながら、パッティング時のクラブフェイスの角度を矯正できるようになる。
【００３８】
【発明の効果】
以上で説明したように、本発明によるゴルフ姿勢矯正装置は、シャフト及びクラブフェイスと垂直をなす面に配置されるが、ヘッドのクラブフェイスの上部エッジと垂直でシャフト側に所定角で斜めになり、所定の間隔をおいて一列配置されて交差点灯される２個以上のＬＥＤまたはシャフトに着脱可能に連結しているケース４４に設置され、電源の供給時に常に点灯する第１レーザーダイオード、打球方向から所定角で斜めに直線上に配置される第２レーザーダイオードを通じて打点を目で容易に確認できるので、正確に打撃できるようにスイング姿勢を矯正できる。
【００３９】
また、後者のゴルフ姿勢矯正装置では、ゲート４４に第１レーザーダイオードと打球方向に一直線上に配置される第３レーザーダイオードをさらに配置して、パッティング動作時のクラブフェイスの角度を矯正できる。
【００４０】
なお、本発明の構成及び原理に対して説明したが、本発明はこれに限定されず、明細書に記載・請求された原理の精神及び範囲内で修正・変更できる多様な実施形態は、本発明の保護範囲に属していることを理解すべきである。
【図面の簡単な説明】
【図１】スイング時のゴルフクラブのヘッドが回転する状態を示す図である。
【図２】本発明の一例によるゴルフ姿勢矯正装置付きのゴルフクラブの斜視図である。
【図３】図２によるゴルフ姿勢矯正装置を動作させる回路図である。
【図４】本発明の一例によるゴルフクラブの使用状態図である。
【図５】図２のゴルフ姿勢矯正装置におけるベータアングルが設定されない場合のゴルフクラブの使用状態図である。
【図６】本発明の他の例によるゴルフ姿勢矯正装置付きのゴルフクラブの斜視図である。
【図７】図６のゴルフクラブを利用してパッティング動作を矯正する使用状態を示す図である。
【符号の説明】
２０    ゴルフクラブ
２１    クラブフェイス
２２    シャフト
２３    バッテリーケース
２６    連結部材
２７    ロッド
２８    ＬＥＤ
２９    クラブヘッド
３０    スイッチ
【図１】
2004174203.tif 000003
【図２】
2004174203.tif 000004
【図３】
2004174203.tif 000005
【図４】
2004174203.tif 000006
【図５】
2004174203.tif 000007
【図６】
2004174203.tif 000008
【図７】
2004174203.tif 000009